(57)【要約】【課題】走行玩具に着脱自在であって、装着時に走行玩具の走行形態を変化させ、脱離時に元の走行形態に戻すことができる走行玩具の付属装置を提供する。【解決手段】走行玩具１の付属装置２０１は、玩具本体２に設けられた動力源３によって走行する走行玩具１の玩具本体２に取り付けられる付属装置であって、装置本体２０２と揺動杆３００とからなる。揺動杆３００は、玩具本体２の一側に揺動自在に設けられる。装置本体２０２は、玩具本体２に着脱自在に取り付けられ、玩具本体２の動力源３によって回転するカム部材２８０を有する。カム部材２８０は、揺動杆３００を直接又は間接的に揺動させて一部３０６を接地させ、玩具本体２を傾けて、走行玩具１の走行形態を変化させることができる。【選択図】        図１
2004275707.tif 000002
【特許請求の範囲】
【請求項１】
玩具本体に設けられた動力源によって走行する走行玩具の玩具本体に取り付けられる付属装置であって、
装置本体と揺動杆とからなり、
揺動杆は、玩具本体の一側に揺動自在に設けられ、
装置本体は、玩具本体に着脱自在に取り付けられ、玩具本体の動力源によって回転するカム部材を有し、
カム部材は、揺動杆を直接又は間接的に揺動させて一部を接地させ、玩具本体を傾けて、走行玩具の走行形態を変化させることができることを特徴とする走行玩具の付属装置。
【請求項２】
玩具本体に設けられた動力源と、玩具本体の前後に設けられた少なくとも２つの車軸と、車軸の両側に設けられた車輪と、動力源の動力を少なくとも一つの車軸に伝達する動力伝達手段とからなる走行玩具の玩具本体に取り付けられる付属装置であって、
装置本体と揺動杆とからなり、
揺動杆は、玩具本体の一側に揺動自在に設けられ、
装置本体は、玩具本体に着脱自在に取り付けられ、玩具本体の動力伝達手段又は動力伝達手段によって動力が伝達された車軸によって回転するカム部材を有し、
カム部材は、揺動杆を直接又は間接的に揺動させて一部を接地させ、玩具本体を傾けて車輪を非接地状態とし、走行玩具の走行形態を変化させることができることを特徴とする走行玩具の付属装置。
【請求項３】
玩具本体に設けられた動力源と、玩具本体の前部に設けられた前車軸と、玩具本体の後部に設けられた後車軸と、前車軸の両側に設けられた前車輪と、後車軸の両側に設けられた後車輪と、動力源の動力を前車軸と後車軸の少なくとも一方に伝達する動力伝達手段とからなる走行玩具の玩具本体に取り付けられる付属装置であって、
装置本体と揺動杆とからなり、
揺動杆は、玩具本体の一側に揺動自在に設けられ、
装置本体は、玩具本体に着脱自在に取り付けられ、玩具本体の動力伝達手段又は動力伝達手段によって動力が伝達された前車軸又は後車軸によって回転するカム部材を有し、
カム部材は、揺動杆を直接又は間接的に揺動させて一部を接地させ、玩具本体を傾けて前車輪又は後車輪を非接地状態とし、走行玩具の走行形態を変化させることができることを特徴とする走行玩具の付属装置。
【請求項４】
揺動杆は、車軸に揺動自在に設けられていることを特徴とする請求項１、２又は３記載の走行玩具の付属装置。
【請求項５】
装置本体には、カム部材に連係され、カム部材の回転によって往復動する係合部材が設けられ、係合部材が揺動杆に係合して揺動杆を揺動させるようになっていることを特徴とする請求項１乃至４のいずれか１項に記載の走行玩具の付属装置。
【請求項６】
装置本体と一対の揺動杆とからなり、一対の揺動杆は、玩具本体の両側に揺動自在に設けられ、カム部材は、一対の揺動杆を交互に又は略同時に、直接又は間接的に揺動させて一部を接地させることができることを特徴とする請求項１乃至５のいずれか１項に記載の走行玩具の付属装置。
【請求項７】
玩具本体に設けられた動力源と、玩具本体の前部に設けられた前車軸と、玩具本体の後部に設けられた後車軸と、前車軸の両側に設けられた前車輪と、後車軸の両側に設けられた後車輪と、動力源の動力を前車軸と後車軸の少なくとも一方に伝達する動力伝達手段とからなる走行玩具の玩具本体に取り付けられる付属装置であって、
装置本体と一対の揺動杆とからなり、
一方の揺動杆は、玩具本体の一側に揺動自在に設けられ、
他方の揺動杆は、玩具本体の他側に揺動自在に設けられ、
装置本体は、玩具本体に着脱自在に取り付けられ、玩具本体の動力伝達手段又は動力伝達手段によって動力が伝達された前車軸又は後車軸によって回転するカム部材を有し、
カム部材は、一対の揺動杆を交互に又は略同時に、直接又は間接的に揺動させて一部を接地させ、玩具本体を傾けて前車輪又は後車輪を非接地状態とし、走行玩具の走行形態を変化させることができることを特徴とする走行玩具の付属装置。
【請求項８】
一対の揺動杆は、前車軸又は後車軸に揺動自在に設けられていることを特徴とする請求項７記載の走行玩具の付属装置。
【請求項９】
装置本体には、カム部材に連係され、カム部材の回転によって往復動する一対の係合部材が設けられ、一方の係合部材が一方の揺動杆に係合して一方の揺動杆を揺動させ、他方の係合部材が他方の揺動杆に係合して他方の揺動杆を揺動させるようになっていることを特徴とする請求項７又は８記載の走行玩具の付属装置。
【請求項１０】
装置本体は、歯車群を有し、歯車群には、装置本体を玩具本体に装着した時に、玩具本体の動力伝達手段又は動力伝達手段によって動力が伝達された車軸に設けられた原動歯車と噛み合い、装置本体を玩具本体から脱離した時に、前記原動歯車と噛み合わなくなる入力歯車と、入力歯車からの動力が伝達される出力軸を有し、前記カム部材は当該出力軸に着脱自在に取り付けられるようになっていることを特徴とする請求項２乃至９のいずれか１項に記載の走行玩具の付属装置。
【請求項１１】
玩具本体に設けられた動力源によって走行する走行玩具の玩具本体に取り付けられる付属装置であって、
装置本体と揺動杆とからなり、
揺動杆は、玩具本体の少なくとも一側に揺動自在に設けられ、
装置本体は、玩具本体に着脱自在に取り付けられ、当該装置本体外面には玩具本体の動力源によって回転するカム部材が着脱自在に取り付けられており、
カム部材は、揺動杆を直接又は間接的に揺動させて一部を接地させ、玩具本体を傾けて、走行玩具の走行形態を変化させることができることを特徴とする走行玩具の付属装置。
【発明の詳細な説明】
【０００１】
【発明の属する技術分野】
本願発明は、走行玩具の玩具本体に着脱自在に取り付けられ、走行玩具の走行形態を変化させることができる付属装置に関する。
【０００２】
【従来の技術】
従来の走行玩具は、玩具本体に設けられた動力源によって走行するものであって、玩具本体に設けられたカム部材によって、走行形態を変化させるものがあった（例えば、特許文献１）。
【０００３】
【特許文献１】
実公昭５１−９３５４号公報
【０００４】
【発明が解決しようとする課題】
上記従来の走行玩具は、走行時にカム部材が回転して、走行形態を変化させるものであるが、このカム機構が玩具本体に組み込まれており、取り外しすることができず、常にカム部材の影響を受け、真っ直ぐの通常走行をさせることができないという問題点があった。
【０００５】
本願発明は、上記問題点に鑑み発明されたものであって、走行玩具に着脱自在であって、装着時に走行玩具の走行形態を変化させ、脱離時に元の走行形態に戻すことができる走行玩具の付属装置を提供することを目的とする。
【０００６】
【課題を解決するための手段】
本願請求項１記載の走行玩具の付属装置は、上記目的を達成するため、玩具本体に設けられた動力源によって走行する走行玩具の玩具本体に取り付けられる付属装置であって、装置本体と揺動杆とからなり、揺動杆は、玩具本体の一側に揺動自在に設けられ、装置本体は、玩具本体に着脱自在に取り付けられ、玩具本体の動力源によって回転するカム部材を有し、カム部材は、揺動杆を直接又は間接的に揺動させて一部を接地させ、玩具本体を傾けて、走行玩具の走行形態を変化させることができる。
【０００７】
本願請求項２記載の走行玩具の付属装置は、上記目的を達成するため、玩具本体に設けられた動力源と、玩具本体の前後に設けられた少なくとも２つの車軸と、車軸の両側に設けられた車輪と、動力源の動力を少なくとも一つの車軸に伝達する動力伝達手段とからなる走行玩具の玩具本体に取り付けられる付属装置であって、装置本体と揺動杆とからなり、揺動杆は、玩具本体の一側に揺動自在に設けられ、装置本体は、玩具本体に着脱自在に取り付けられ、玩具本体の動力伝達手段又は動力伝達手段によって動力が伝達された車軸によって回転するカム部材を有し、カム部材は、揺動杆を直接又は間接的に揺動させて一部を接地させ、玩具本体を傾けて車輪を非接地状態とし、走行玩具の走行形態を変化させることができる。
【０００８】
本願請求項３記載の走行玩具の付属装置は、上記目的を達成するため、玩具本体に設けられた動力源と、玩具本体の前部に設けられた前車軸と、玩具本体の後部に設けられた後車軸と、前車軸の両側に設けられた前車輪と、後車軸の両側に設けられた後車輪と、動力源の動力を前車軸と後車軸の少なくとも一方に伝達する動力伝達手段とからなる走行玩具の玩具本体に取り付けられる付属装置であって、装置本体と揺動杆とからなり、揺動杆は、玩具本体の一側に揺動自在に設けられ、装置本体は、玩具本体に着脱自在に取り付けられ、玩具本体の動力伝達手段又は動力伝達手段によって動力が伝達された前車軸又は後車軸によって回転するカム部材を有し、カム部材は、揺動杆を直接又は間接的に揺動させて一部を接地させ、玩具本体を傾けて前車輪又は後車輪を非接地状態とし、走行玩具の走行形態を変化させることができる。
【０００９】
本願請求項４記載の走行玩具の付属装置は、上記目的を達成するため、揺動杆は、車軸に揺動自在に設けられている。
【００１０】
本願請求項５記載の走行玩具の付属装置は、上記目的を達成するため、装置本体には、カム部材に連係され、カム部材の回転によって往復動する係合部材が設けられ、係合部材が揺動杆に係合して揺動杆を揺動させるようになっている。
【００１１】
本願請求項６記載の走行玩具の付属装置は、上記目的を達成するため、装置本体と一対の揺動杆とからなり、一対の揺動杆は、玩具本体の両側に揺動自在に設けられ、カム部材は、一対の揺動杆を交互に又は略同時に、直接又は間接的に揺動させて一部を接地させることができる。
【００１２】
本願請求項７記載の走行玩具の付属装置は、上記目的を達成するため、玩具本体に設けられた動力源と、玩具本体の前部に設けられた前車軸と、玩具本体の後部に設けられた後車軸と、前車軸の両側に設けられた前車輪と、後車軸の両側に設けられた後車輪と、動力源の動力を前車軸と後車軸の少なくとも一方に伝達する動力伝達手段とからなる走行玩具の玩具本体に取り付けられる付属装置であって、装置本体と一対の揺動杆とからなり、一方の揺動杆は、玩具本体の一側に揺動自在に設けられ、他方の揺動杆は、玩具本体の他側に揺動自在に設けられ、装置本体は、玩具本体に着脱自在に取り付けられ、玩具本体の動力伝達手段又は動力伝達手段によって動力が伝達された前車軸又は後車軸によって回転するカム部材を有し、カム部材は、一対の揺動杆を交互に又は略同時に、直接又は間接的に揺動させて一部を接地させ、玩具本体を傾けて前車輪又は後車輪を非接地状態とし、走行玩具の走行形態を変化させることができる。
【００１３】
本願請求項８記載の走行玩具の付属装置は、上記目的を達成するため、一対の揺動杆は、前車軸又は後車軸に揺動自在に設けられている。
【００１４】
本願請求項９記載の走行玩具の付属装置は、上記目的を達成するため、装置本体には、カム部材に連係され、カム部材の回転によって往復動する一対の係合部材が設けられ、一方の係合部材が一方の揺動杆に係合して一方の揺動杆を揺動させ、他方の係合部材が他方の揺動杆に係合して他方の揺動杆を揺動させるようになっている。
【００１５】
本願請求項１０記載の走行玩具の付属装置は、上記目的を達成するため、装置本体は、歯車群を有し、歯車群には、装置本体を玩具本体に装着した時に、玩具本体の動力伝達手段又は動力伝達手段によって動力が伝達された車軸に設けられた原動歯車と噛み合い、装置本体を玩具本体から脱離した時に、前記原動歯車と噛み合わなくなる入力歯車と、入力歯車からの動力が伝達される出力軸を有し、前記カム部材は当該出力軸に着脱自在に取り付けられるようになっている。
【００１６】
本願請求項１１記載の走行玩具の付属装置は、上記目的を達成するため、玩具本体に設けられた動力源によって走行する走行玩具の玩具本体に取り付けられる付属装置であって、装置本体と揺動杆とからなり、揺動杆は、玩具本体の少なくとも一側に揺動自在に設けられ、装置本体は、玩具本体に着脱自在に取り付けられ、当該装置本体外面には玩具本体の動力源によって回転するカム部材が着脱自在に取り付けられており、カム部材は、揺動杆を直接又は間接的に揺動させて一部を接地させ、玩具本体を傾けて、走行玩具の走行形態を変化させることができる。
【００１７】
【発明の実施の形態】
本願発明に係る走行玩具の付属装置の実施の形態を、図１乃至図１１に基づいて説明する。図１は、本願発明に係る走行玩具の付属装置の一つの実施の形態を示す分解斜視図である。図２は、図１の走行玩具の付属装置の組立図である。図３は、図１の走行玩具の付属装置の全体分解斜視図である。図４は、図１の走行玩具の付属装置を側面から視た分解側面図である。図５は、図４の付属装置をさらに分解した分解側面図である。図６は、図１の走行玩具の付属装置の組立断面図である。図７は、付属装置の上ケースを説明する説明図である。図８は、付属装置の下ケースを説明する説明図である。図９、１０は、図１の走行玩具の付属装置を走行玩具に取り付ける方法を説明する説明図である。図１１は、付属装置の使用状態を説明する説明図である。
【００１８】
走行玩具１の付属装置２０１は、玩具本体２に設けられた動力源３によって走行する走行玩具１の玩具本体２に取り付けられる付属装置であって、装置本体２０２と揺動杆３００，３０１，３０２とからなる。揺動杆３００，３０１，３０２は、玩具本体２の一側に揺動自在に設けられる。装置本体２０２は、玩具本体２に着脱自在に取り付けられ、玩具本体２の動力源３によって回転するカム部材２８０，２８１，２８２を有する。カム部材２８０，２８１，２８２は、揺動杆３００，３０１，３０２を直接又は間接的に揺動させて一部３０６を接地させ、玩具本体２を傾けて、走行玩具１の走行形態を変化させることができる。
【００１９】
走行玩具１の付属装置２０１は、玩具本体２に設けられた動力源３と、玩具本体２の前後に設けられた少なくとも２つの車軸５，６と、車軸５，６の両側に設けられた車輪７，９と、動力源３の動力を少なくとも一つの車軸５，６に伝達する動力伝達手段１０とからなる走行玩具１の玩具本体２に取り付けられる付属装置であって、装置本体２０２と揺動杆３００，３０１，３０２とからなる。揺動杆３００，３０１，３０２は、玩具本体２の一側に揺動自在に設けられる。
【００２０】
装置本体２０２は、玩具本体２に着脱自在に取り付けられ、玩具本体２の動力伝達手段１０又は動力伝達手段１０によって動力が伝達された車軸６（５）によって回転するカム部材２８０，２８１，２８２を有する。カム部材２８０，２８１，２８２は、揺動杆３００，３０１，３０２を直接又は間接的に揺動させて一部３０６を接地させ、玩具本体２を傾けて車輪９（７）を非接地状態とし、走行玩具１の走行形態を変化させることができる。
【００２１】
走行玩具１の付属装置２０１は、玩具本体２に設けられた動力源３と、玩具本体２の前部に設けられた前車軸５と、玩具本体２の後部に設けられた後車軸６と、前車軸５の両側に設けられた前車輪７と、後車軸６の両側に設けられた後車輪９と、動力源３の動力を前車軸５と後車軸６の少なくとも一方に伝達する動力伝達手段１０とからなる走行玩具１の玩具本体２に取り付けられる付属装置であって、装置本体２０２と揺動杆３００，３０１，３０２とからなる。揺動杆３００，３０１，３０２は、玩具本体２の一側に揺動自在に設けられる。
【００２２】
装置本体２０２は、玩具本体２に着脱自在に取り付けられ、玩具本体２の動力伝達手段１０又は動力伝達手段１０によって動力が伝達された前車軸５又は後車軸６によって回転するカム部材２８０，２８１，２８２を有する。カム部材２８０，２８１，２８２は、揺動杆３００，３０１，３０２を直接又は間接的に揺動させて一部３０６を接地させ、玩具本体２を傾けて前車輪７又は後車輪９を非接地状態とし、走行玩具１の走行形態を変化させることができる。
【００２３】
揺動杆３００，３０１，３０２は、車軸６（５）に揺動自在に設けられても構わない。装置本体２０２には、カム部材２８０，２８１，２８２に連係され、カム部材２８０，２８１，２８２の回転によって往復動する係合部材２６５が設けられ、係合部材２６５が揺動杆３００，３０１，３０２に係合して揺動杆３００，３０１，３０２を揺動させるようになっている。
【００２４】
装置本体２０２は、歯車群２２４を有し、歯車群２２４には、装置本体２０２を玩具本体２に装着した時に、玩具本体２の動力伝達手段１０又は動力伝達手段１０によって動力が伝達された車軸６（５）に設けられた原動歯車２９５と噛み合い、装置本体２０２を玩具本体２から脱離した時に、前記原動歯車２９５と噛み合わなくなる入力歯車２２５と、入力歯車２２５からの動力が伝達される出力軸２３５を有し、前記カム部材２８０，２８１，２８２は当該出力軸２３５に着脱自在に取り付けられるようになっている。
【００２５】
さらに走行玩具の付属装置について詳細に説明する。最初に付属装置が取り付けられる走行玩具について、図１２乃至図２５に基づいて説明する。図１２は、本願発明に係る走行玩具の一つの実施の形態を示す全体図であって、（ａ）は左側面図であり、（ｂ）は背面図である。図１３は、図１２の走行玩具の全体図であって、（ａ）は右側面図であり、（ｂ）は正面図である。図１４は、図１２の走行玩具の全体平面図である。図１５は、図１２の走行玩具の下枠体を説明する説明図である。図１６は、図１２の走行玩具の上枠体を説明する説明図である。図１７は、図１５の下枠体を説明する説明図である。図１８は、図１２の走行玩具の軸受け部材を説明する説明図である。図１９は、図１６の上枠体を説明する説明図である。
【００２６】
図２０は、図１２の走行玩具の調節枠Ｎを説明する説明図である。図２１は、図１２の走行玩具の調節枠Ｓを説明する説明図である。図２２は、図１２の走行玩具の要部分解側面図である。図２３は、図１２の走行玩具の車輪を外した左側面図である。図２４は、図１２の走行玩具の軸受け部材の取付状態を説明する説明図である。図２５は、図１２の走行玩具の使用状態を説明する説明図である。
【００２７】
走行玩具１は、玩具本体２と、玩具本体２に設けられた動力源３と、玩具本体２の前後に設けられた少なくとも２つの車軸５，６と、車軸５，６の両側に設けられた車輪７，９と、動力源３の動力を少なくとも一つの車軸５（６）に伝達する動力伝達手段１０とからなり、少なくとも一つの車軸５（６）の位置を調節することができる調節手段４０，１００Ｎ，１００Ｓが設けられている。
【００２８】
さらに説明すると、走行玩具１は、玩具本体２と、玩具本体２に設けられた動力源３と、玩具本体２の前部に設けられた前車軸５と、玩具本体２の後部に設けられた後車軸６と、前車軸５の両側に設けられた前車輪７，７と、後車軸６の両側に設けられた後車輪９，９と、動力源３の動力を前車軸５と後車軸６の少なくとも一方に伝達する動力伝達手段１０とからなり、前車軸５と後車軸６の少なくとも一方の位置を調節することができる調節手段４０，１００Ｎ，１００Ｓが設けられている。
【００２９】
調節手段が車軸５（６）を回動自在に軸受けする軸受け部材４０であって、車輪７（９）の外径に合わせて、車軸５（６）の高さ方向の位置を調節することができる。この軸受け部材４０は、玩具本体２に着脱可能に形成され、略中心より一方４９側に位置がずれて車軸６の軸受部４７が形成され、一方４９を下にして玩具本体２に取り付けると車軸６の位置が低くなり、一方４９を上にして玩具本体２に取り付けると車軸６の位置が高くなるようになっている。
【００３０】
軸受け部材４０には、玩具本体２に取り付けられている方向を視認することができる第１の表示部５２，５３が形成されている。即ち、軸受け部材４０は、両側に突片４２，４３を有し、該突片４２，４３にそれぞれ異なる第１の表示部５２，５３が形成され、玩具本体２に取り付けられた後、該第１の表示部５２，５３により取り付けられている方向を視認することができるようになっている。なお、玩具本体２には、軸受け部材４０の取り付けられている方向を示す第１の表示部５２（５３）のみを視認することができる切り欠き３５，７９が形成されている。
【００３１】
調節手段が少なくとも一つの車軸５（６）を回動自在に軸受けする調節枠１００Ｎ（１００Ｓ）であって、調節枠１００Ｎ（１００Ｓ）は、前記軸受け部材４０と反対側に配置され、軸受け部材４０の取り付けられる方向と対応するように形成され、一側に対応関係のある軸受け部材４０の第１の表示部５３（５２）と関連する第２の表示部１１２Ｓ（１１２Ｎ）が形成されている。
【００３２】
さらに走行玩具について詳細に説明する。走行玩具１は、図１２乃至図１６に示すように、玩具本体２と、玩具本体２の内部に設けられた動力源３と、玩具本体２の前部に設けられた断面が多角形状の前車軸５と、玩具本体２の後部に設けられた断面が多角形状の後車軸６と、前車軸５の両側に設けられた前車輪７，７と、後車軸６の両側に設けられた後車輪９，９と、動力源３の動力を前車軸５と後車軸６の両方に伝達する動力伝達手段１０と、玩具本体２の上部に取り付けられる電池ボックス１１とからなる。
【００３３】
玩具本体２は、上下二分割され、下枠体１２と、下枠体１２に着脱自在に取り付けられる上枠体１３と、上枠体１３に取り付けられる調節枠１００Ｎ（１００Ｓ）とからなる。なお調節枠１００Ｎ（１００Ｓ）は、下枠体１２に取り付けられても構わない。下枠体１２は、図１５，１７に示すように、底壁１５と、底壁１５の左端に設けられた左壁１６と、左壁１６と略平行に設けられた前補助壁１７ａ及び後補助壁１７ｂと、底壁１５の右端に設けられた前右壁２１及び後右壁２２と、前補助壁１７ａと後補助壁１７ｂとの間及び前右壁２１と後右壁２２との間であって、左壁１６と略直角の仕切壁１９，２０を備えている。
【００３４】
仕切壁１９，２０と底壁１５によって形成される収納部２３内には、動力源である駆動モータ３の下部が収納される。左壁１６の前部及び前補助壁１７ａには、前車軸５を挿通する半円状の凹部２５，２６が形成されている。また、左壁１６の外側面には、前車軸５を回動自在に支持する、ボールベアリング等の軸受け体２７の下半分を嵌合する半円状の嵌合凹部２８を備えた突出部２９が形成されている。
【００３５】
左壁１６の後部及び後補助壁１７ｂには、後車軸６を挿通する半円状の凹部３０，３１が形成されている。また、左壁１６の外側面には、軸受け部材４０の下部を上から差し込んで固定する固定溝３２が形成されている。固定溝３２は、略Ｌ字状の係止枠３３によって形成されている。係止枠３３の前部には、切り欠き窓３５が形成されている。
【００３６】
軸受け部材４０は、図１８に示すように、係合板４１を有する。係合板４１は、略中央両側に突片４２，４３が形成され、略中心より一方４９側（突片４２の略中心と突片４３の略中心を結ぶ線より上方側）に位置がずれて挿通孔４５が形成され、正面４６側に挿通孔４５と略同じ軸心の取付穴４７が形成されたボス部４８が設けられている。このボス部４８の取付穴４７には、後車軸６を回動自在に支持する、ボールベアリング等の軸受け体２７が嵌合して取り付けられる。
【００３７】
軸受け部材４０の突片４２，４３には、軸受け部材４０の取付方向を確認することができるＳ記号５２，Ｎ記号５３が形成されている。軸受け部材４０は、一方４９側を下にして前記固定溝３２に差し込んで固定すると、図２４（ａ）に示すように、切り欠き窓３５からＮ記号５３が確認でき、他方５０側を下にして前記固定溝３２に差し込んで固定すると、図２４（ｂ）に示すように、切り欠き窓３５からＳ記号５２が確認できる。Ｎ記号５３が確認できる場合は、取付穴４７の位置が走行面Ｇに対して低くなり、Ｓ記号５２が確認できる場合は、取付穴４７の位置が走行面Ｇに対して高くなる。
【００３８】
下枠体１２は、図１５、１７に示すように、左壁１６の外側面略中央に、略コ字状の係止部材５５が形成され、前右壁２１及び後右壁２２に係合凸起５７・・・が形成されている。また、下枠体１２は、上部に位置決めピン５９，５９が形成されている。
【００３９】
上枠体１３は、図１６，１９に示すように、上壁６０と、上壁６０の左端に設けられた左壁６１と、左壁６１と略平行に設けられた前補助壁６２ａ及び後補助壁６２ｂと、上壁６０の右端に設けられた右壁６３と、前補助壁６２ａと後補助壁６２ｂとの間であって、左壁６１と略直角の仕切壁６５，６６を備えている。
【００４０】
仕切壁６５，６６と上壁６０によって形成される収納部６７内には、動力源である駆動モータ３の上部が収納される。左壁６１の前部及び前補助壁６２ａには、前車軸５を挿通する半円状の凹部６９，７０が形成されている。また、左壁６１の外側面には、前車軸５を回動自在に支持する、ボールベアリング等の軸受け体２７の上半分を嵌合する半円状の嵌合凹部７１を備えた突出部７２が形成されている。
【００４１】
左壁６１の後部及び後補助壁６２ｂには、後車軸６を挿通する半円状の凹部７３，７４が形成されている。また、左壁６１の外側面には、軸受け部材４０の上部を下から差し込んで固定する固定溝７６が形成されている。固定溝７６は、略Ｌ字状の係止枠７７によって形成されている。係止枠７７の前部には、切り欠き窓７９が形成されている。
【００４２】
軸受け部材４０は、他方５０側を上にして前記固定溝７６に差し込んで固定すると、図２４（ａ）に示すように、切り欠き窓７９からＮ記号５３が確認でき、一方４９側を上にして前記固定溝７６に差し込んで固定すると、図２４（ｂ）に示すように、切り欠き窓７９からＳ記号５２が確認できる。Ｎ記号５３が確認できる場合は、取付穴４７の位置が走行面Ｇに対して低くなり、Ｓ記号５２が確認できる場合は、取付穴４７の位置が走行面Ｇに対して高くなる。
【００４３】
上枠体１３は、図１６、１９に示すように、左壁６１の外側面略中央に、係止突起８０が形成され、右壁６３に係合穴８１・・が形成されている。また、右壁６３には、略中央に前記駆動モータ３の駆動軸３ａを外側に突出させる開口８２が形成され、開口８２を挟んで両側に支軸８６，８７を嵌着する嵌着孔８３，８４が設けられている。また、右壁６３には、前記前車軸５を挿通する挿通孔８９が形成され、さらに前記後車軸６を挿通する縦長の長孔９０が形成されている。
【００４４】
上枠体１３は、右壁６３の外側面略中央上下に、一対の係止爪９１，９２が設けられ、下部に位置決め穴９３，９３が形成されている。上枠体１３は、下枠体１２の係合突起５７・・を係合穴８１・・に係合し、下枠体１２の位置決めピン５９，５９を位置決め穴９３，９３に差し込み、係止部材５５を係止突起８０に係止することにより、下枠体１２に取り付けられる。
【００４５】
上枠体１３の右壁６３には、係止爪９１，９２によって、調節枠１００Ｎ，１００Ｓが着脱自在に取り付けられる。調節枠１００Ｎは、図２０に示すように、略中央上下に、前記係止爪９１，９２が着脱自在に係止される係止溝１０１，１０２が形成されている。また、前記支軸８６，８７の先端を嵌着する嵌着孔１０３，１０４が形成され、さらに前記前車軸５と後車軸６を挿通する挿通孔１０５，１０６Ｎが形成されている。なお、調節枠１００Ｎ，１００Ｓは、上枠体１３の右壁６３に、ネジ等の固定手段によって取り付けても構わない。
【００４６】
調節枠１００Ｎの内側面及び外側面には、挿通孔１０５と略同一軸心となる嵌合凹部１０７，１０８が形成され、さらに挿通孔１０６Ｎと略同一軸心となる嵌合凹部１１０Ｎ，１１１Ｎが形成されている。嵌合凹部１０７，１０８，１１０Ｎ，１１１Ｎには、前記軸受け体２７が嵌合して取り付けられる。なお、本実施の形態では、調節枠１００Ｎの外側面側に位置する嵌合凹部１０８，１１１Ｎに軸受け体２７が取り付けられるようになっている。調節枠１００Ｎは、挿通孔１０５と１０６Ｎの高さが、略同じとなるように設定されている。
【００４７】
調節枠１００Ｓは、図２１に示すように、調節枠１００Ｎと同様に構成され、後車軸６を挿通する挿通孔１０６Ｓの高さが高い位置に形成されている。調節枠１００Ｓの内側面及び外側面には、挿通孔１０６Ｓと略同一軸心となる嵌合凹部１１０Ｓ，１１１Ｓが形成されている。嵌合凹部１１０Ｓ，１１１Ｓには、前記軸受け体２７が嵌合して取り付けられる。なお、本実施の形態では、調節枠１００Ｓの外側面側に位置する嵌合凹部１０８，１１１Ｓに軸受け体２７が取り付けられるようになっている。調節枠１００Ｓは、挿通孔１０６Ｓの高さが挿通孔１０５より高くなるように設定されている。
【００４８】
調節枠１００Ｎの外側面には、Ｎ記号（第２の表示部）１１２Ｎが形成されている。このＮ記号（第２の表示部）１１２Ｎは、軸受け部材４０の取り付けられる方向と対応関係にある調節枠１００Ｎを示すものであり、軸受け部材４０のＮ記号（第１の表示部）５３と関連するようになっている。調節枠１００Ｓの外側面には、Ｓ記号（第２の表示部）１１２Ｓが形成されている。このＳ記号（第２の表示部）１１２Ｓは、軸受け部材４０の取り付けられる方向と対応関係にある調節枠１００Ｓを示すものであり、軸受け部材４０のＳ記号（第１の表示部）５２と関連するようになっている。
【００４９】
動力伝達手段１０は、調節枠１００Ｎ又は調節枠１００Ｓ内に設けられている。動力伝達手段１０は、駆動モータ３の駆動軸３ａに取り付けられる駆動歯車１１５と、支軸８６に回動自在に取り付けられ、前記駆動歯車１１５と噛み合う中間平歯車１１６と、中間平歯車１１６と一体の中間小歯車１１７と、前車軸５に固定して取り付けられ、中間小歯車１１７と噛み合う従動歯車１１９と、支軸８７に回動自在に取り付けられ、前記駆動歯車１１５と噛み合う中間平歯車１２０と、中間平歯車１２０と一体の中間小歯車１２１と、後車軸６に固定して取り付けられ、中間小歯車１２１と噛み合う従動歯車１２２とで構成されている。
【００５０】
電池ボックス１１は、上枠体１３に、ネジ、係止爪等の固定手段によって取り付けられ、内部に電池等の電源が設けられている。この電池ボックス１１内の電源は、図示しないスイッチと、前記駆動モータ３と電気的に接続され、電気回路を構成している。
【００５１】
次に走行玩具１の組立について説明する。下枠体１２の収納部２３内に駆動モータ３を取り付ける。左壁１６の嵌合凹部２８に軸受け体２７の下側を嵌合する。この軸受け体２７に前車軸５を挿入するようにして、左壁１６の凹部２５及び前補助壁１７ａの凹部２６に前車軸５を遊嵌する。軸受け部材４０の取付穴４７に軸受け体２７を嵌合して取り付け、図２２に示すように、一方４９側を下にして左壁１６の固定溝３２に差し込んで固定する。軸受け部材４０の軸受け体２７に後車軸６を挿入するようにして、左壁１６の凹部３０及び後補助壁１７ｂの凹部３１に後車軸６を遊嵌する。
【００５２】
上枠体１３は、前車軸５を挿通孔８９に挿通し、後車軸６を長孔９０に挿通し、駆動モータ３の駆動軸３ａを開口８２から突出させるようにして、下枠体１２の係合突起５７・・に係合穴８１・・を係合し、下枠体１２の位置決めピン５９，５９に位置決め穴９３，９３を差し込み、係止部材５５を係止突起８０に係止させることにより、下枠体１２に取り付ける。
【００５３】
図２４（ａ）に示すように、切り欠き窓３５，７９からＮ記号５３が確認できるので、調節枠１００Ｎの外側面側に位置する嵌合凹部１０８，１１１Ｎに軸受け体２７を取り付け、上枠体１３の右壁６３に、係止爪９１，９２によって、Ｎ記号（第２の表示部）１１２Ｎが形成された調節枠１００Ｎを着脱自在に取り付ける。
【００５４】
調節枠１００Ｎの嵌合凹部１０８に取り付けられる軸受け体２７と下枠体１２の嵌合凹部２８に取り付けられる軸受け体２７との高さ方向の位置が同じであり、調節枠１００Ｎの嵌合凹部１１１Ｎに取り付けられる軸受け体２７と下枠体１２の軸受け部材４０の取付穴４７に取り付けられる軸受け体２７との高さ方向の位置が同じであるので、図１２に示すように、前車軸５と後車軸６が略同じ高さとなり、同じ外径の前車輪７，７と後車輪９，９を取り付けることにより、玩具本体２が走行面と略平行となる。電池ボックス１１は、上枠体１３に、ネジ、係止爪等の固定手段によって取り付けることができる。
【００５５】
前車輪７，７の外径より大きい外径の後車輪９Ａ，９Ａを後車軸６に取り付けると、図２５（ａ）に示すように、玩具本体２の後部が持ち上がって、玩具本体２が前方に傾き、見た目が悪くなり、玩具本体２が走行面Ｇに接触し易くなる。係る場合には、後車軸６の高さを変えることによって解消することができる。
【００５６】
上記組立において、軸受け部材４０の取付穴４７に軸受け体２７を嵌合して取り付け、図２４（ｂ）に示すように、他方５０側を下にして左壁１６の固定溝３２に差し込んで固定する。軸受け部材４０の軸受け体２７に後車軸６を挿入するようにして、左壁１６の凹部３０及び後補助壁１７ｂの凹部３１に後車軸６を遊嵌する。
【００５７】
図２４（ｂ）に示すように、切り欠き窓３５，７９からＳ記号５２が確認できるので、調節枠１００Ｓ外側面側に位置する嵌合凹部１０８，１１１Ｓに軸受け体２７を取り付け、上枠体１３の右壁６３に、係止爪９１，９２によって、Ｓ記号（第２の表示部）１１２Ｓが形成された調節枠１００Ｓを着脱自在に取り付ける。
【００５８】
調節枠１００Ｓの嵌合凹部１０８に取り付けられる軸受け体２７と下枠体１２の嵌合凹部２８に取り付けられる軸受け体２７との高さ方向の位置が同じであり、調節枠１００Ｓの嵌合凹部１１１Ｓに取り付けられる軸受け体２７と下枠体１２の軸受け部材４０の取付穴４７に取り付けられる軸受け体２７との高さ方向の位置が同じであるが、調節枠１００Ｓの嵌合凹部１０８及び下枠体１２の嵌合凹部２８に取り付けられる軸受け体２７の高さ方向の位置より、調節枠１００Ｓの嵌合凹部１１１Ｓ及び下枠体１２の軸受け部材４０の取付穴４７に取り付けられる軸受け体２７との高さ方向の位置が高くなるため、前車軸５より後車軸６の方が高くなる。
【００５９】
上述したように、前車輪７，７の外径より大きい外径の後車輪９Ａ，９Ａを後車軸６に取り付けると、図２５（ｂ）に示すように、玩具本体２が走行面と略平行となり、見た目が良くなり、玩具本体２が走行面Ｇに接触し難くなる。このように、後車軸６の高さを、軸受け部材４０及び調節枠１００Ｎ、１００Ｓによって調節することができる。
【００６０】
走行玩具１は、図示しないスイッチをオンにすると、駆動モータ３が駆動して、駆動軸３ａが回転し、駆動軸３ａの回転が、駆動歯車１１５、中間平歯車１１６、中間小歯車１１７、従動歯車１１９、前車軸５に伝達され、前車輪７，７が回転する。同様に、駆動軸３ａが回転し、駆動軸３ａの回転が、駆動歯車１１５、中間平歯車１２０、中間小歯車１２１、従動歯車１２２、後車軸６に伝達され、後車輪９，９が回転し、同時に後車軸６に設けられた原動歯車２９５も後車軸６と共に回転する。
【００６１】
走行玩具１は、いわゆる４輪駆動タイプなので、滑りやすい走行路面でも確実に走行させることができるが、前車輪７，７より外径の大きい後車輪９，９を取り付けると、前車輪７，７と後車輪９，９の外周の速度が異なるため、前車輪７，７及び／又は後車輪９，９が走行面に対してスリップし、走行方向が不安定で、極めて面白い走行を行わせることができる。
【００６２】
このように、走行玩具１は、上記調節手段４０，１００Ｎ，１００Ｓにより、取り付ける車輪９（７）の外径に合わせて、車軸６（５）の位置を調節することができ、玩具本体２の車高を走行面Ｇに対して略一定に保つことができる。軸受け部材４０は、構造が簡単で安価であり、容易に車輪９（９Ａ）の外径に合わせて、車軸６の高さ方向の位置を調節することができる。
【００６３】
軸受け部材４０は、取り付ける方向を変えるだけで、車軸６の高さ方向の位置を調節することができるので、複数の軸受け部材を準備しておく手間が省け、組立が容易となり、製造コストの低廉化を図ることができる。軸受け部材４０には、玩具本体２に取り付けられている方向を視認することができる第１の表示部５２，５３が形成されているので、軸受け部材４０の取り付け方向の間違いを少なくすることができる。玩具本体２には、軸受け部材４０の取り付けられている方向を示す第１の表示部５２（５３）のみを視認することができる切り欠き３５，７９が形成されているので、軸受け部材４０の取り付け方向を見誤ることなく確実に理解することができる。
【００６４】
調節枠１００Ｎ（１００Ｓ）は、前記軸受け部材４０と反対側に配置され、軸受け部材４０の取り付けられる方向と対応するように形成され、一側に対応関係のある軸受け部材４０の第１の表示部５３（５２）と関連する第２の表示部１１２Ｎ（１１２Ｓ）が形成されているので、調節枠１００Ｎ（１００Ｓ）を玩具本体２に間違って取り付けることがない。
【００６５】
付属装置２０１は、図１乃至図１１に示すように、装置本体２０２と揺動杆３００とからなる。装置本体２０２は、下ケース２０３と、上ケース２０５とからなり、下ケース２０３と上ケース２０５がネジ等の締結手段によって一体的に組み立てられている。下ケース２０３は、図３，８に示すように、第１の収容室２０６と、第２の収容室２０７を備えている。第１の収容室２０６は、第１の底壁２１０と、第１の前壁２１１と、第１の後壁２１２と、第１の左壁２１３と、仕切壁２１５とによって形成され、第１の底壁２１０には、軸受けボス２１６，２１７，２１８が直列状に設けられている。
【００６６】
前方の軸受けボス２１６の軸受け穴２２１には、前軸２２２が設けられている。前軸２２２には、第１の前壁２１１に形成された開口２２３から一部が突出する入力歯車２２５が取り付けられている。この入力歯車２２５には、小歯車２２６が一体に形成されている。中間の軸受けボス２１７の軸受け穴２２７には、中間軸２２９が設けられている。中間軸２２９には、前記小歯車２２６と噛み合う中間平歯車２３０が取り付けられている。この中間平歯車２３０には、中間小歯車２３１が一体に形成されている。
【００６７】
後方の軸受けボス２１８の軸受け穴２３２には、後軸２３３が設けられている。後軸２３３には、出力軸２３５が取り付けられている。出力軸２３５は、筒状の胴部２３６と、胴部２３６の周囲に設けられ、前記中間小歯車２３１と噛み合う最終平歯車２３７と、胴部２３６の上端に形成された軸部２３９と、軸部２３９の先端に設けられた係止部２４０と、胴部２３６内に設けられ、後軸２３３を挿入する挿入穴２４１が形成されたボス部２４２とを有している。係止部２４０は、矩形状の軸が略Ｕ字状の溝によって２つ割りに形成され、上部に係止爪２４３，２４３が形成されている。
【００６８】
第２の収容室２０７は、第２の底壁２４５と、第２の前壁２４６と、第２の後壁２４７と、第２の右壁２４８と、仕切壁２１５とによって形成され、第２の後壁２４７に軸受けボス２４９が設けられている。軸受けボス２４９の軸受け穴２５０には、回動板２５１の支軸２５２が回動自在に取り付けられている。回動板２５１の前部には、第２の右壁２４８側に下降傾斜する傾斜面２５３が形成されている。回動板２５１の中間部には、当接片２５５が上方に突設されている。
【００６９】
上ケース２０５は、図３，７に示すように、上壁２５６と、矩形状の中間壁２５７と、上壁２５６と中間壁２５７を連接する横側壁２５８と縦側壁２５９を有する。また、上ケース２０５は、内側面側に前記前軸２２２の上部を軸受けする軸受け穴２６０と、前記中間軸２２９の上部を軸受けする軸受け穴２６１と、前記出力軸２３５の軸部２３９を軸受けする軸受け孔２６２が形成され、軸受け孔２６２から出力軸２３５の係止部２４０が中間壁２５７の外側面に突出している。
【００７０】
上ケース２０５の上壁２５６内側面には、矩形状の案内室２６３が形成され、この案内室２６３内に矩形筒状の係合部材２６５が上下方向に案内されている。係合部材２６５は、下ケース２０５の第２の右壁２４８と上ケース２０５の右壁２６７に形成された、上下方向に伸びる長孔２６９から突出する突出ピン２７０を備え、バネ状の弾性部材２７１によって下方に付勢されている。係合部材２５４は、弾性部材２７１によって付勢される側、即ち下部に、右側に向かって下降傾斜する傾斜面２７２が形成されている。この係合部材２５４の傾斜面２７２は、弾性部材２７１によって、前記回動板２５１の傾斜面２５３を押圧し、回動板２５１を仕切壁２１５に圧接させている。
【００７１】
また、前記回動板２５１の当接片２５５は、縦側壁２５９に形成された開口２７３から中間壁２５７の上方に突出している。前記中間壁２５７の外側面に突出している係止部２４０には、カム部材２８０，２８１，２８２が着脱自在に取り付けられるようになっている。カム部材２８０，２８１，２８２は、略中心に矩形状の係止孔２８３，２８４，２８５が形成され、この係止孔２８３，２８４，２８５に、係止部２４０の係止爪２４３，２４３が係止される係止段部２８６，２８７，２８８が設けられている。
【００７２】
カム部材２８０には、前記回動板２５１の当接片２５５と当接する当接突起２９０が対向して２箇所に設けられている。カム部材２８１には、前記回動板２５１の当接片２５５と当接する当接突起２９１が１箇所に設けられている。カム部材２８２には、前記回動板２５１の当接片２５５と当接する当接突起２９２が所定間隔あけて３箇所に設けられている。下ケース２０３の前部下端には、係止突起２９３を備えた係止片２０８が設けられている。上ケース２０５の前部上端には、係止突起２９４を備えた係止片２０９が設けられている。
【００７３】
玩具本体２の後部（又は前部）は、開放されており、下枠体１２の底壁１５及び上枠体１３の上壁６０に係止部１５ａ，６０ａが形成されている。付属装置２０１の装置本体２０２は、玩具本体２の後部（又は前部）に形成された開放部２ａ（２ｂ）から係止片２０８，２０９を差し込むと、係止片２０８、２０９の係止突起２９３，２９４が、下枠体１２の底壁１５及び上枠体１３の上壁６０に形成された係止部１５ａ，６０ａに着脱自在に係止され、玩具本体２に装着することができる。
【００７４】
後車軸６（前車軸５）には、ウォーム歯車（原動歯車）２９５が設けられ、玩具本体２に装置本体２０２を装着すると、入力歯車２２５がウォーム歯車（原動歯車）２９５と噛み合うことになる。装置本体２０２は、係止片２０８、２０９の係止突起２９３，２９４を下枠体１２の底壁１５及び上枠体１３の上壁６０に形成された係止部１５ａ，６０ａから係止を解除するようにして、玩具本体２の後部（又は前部）に形成された開放部２ａ（２ｂ）から係止片２０８，２０９を引き抜くと、玩具本体２から離脱し、入力歯車２２５がウォーム歯車（原動歯車）２９５と噛み合わなくなる。即ち、装置本体２０２の入力歯車２２５に動力を伝えるウォーム歯車（原動歯車）２９５は、直進走行時にも駆動されている後車軸６に直接設けられており、後車軸６と共に駆動するものであるため、別途装置本体２０２に動力を伝えるための機構が不要となっている。
【００７５】
揺動杆３００，３０１，３０２は、図１１に示すように、後車軸６（前車軸５）に揺動自在に取り付けられる。揺動杆３００，３０１，３０２は、略く字状に形成され、略中間部に軸受部３０３，３０４，３０５が形成され、前部に補助車輪３０６が回動自在に取り付けられ、後部に前記係合部材２６５の突出ピン２７０と係合する係合長孔３０７，３０８，３０９が形成されている。初期状態において、突出ピン２７０は、下側に位置しているため、補助車輪３０６は接地しておらず、突出ピン２７０が上側に位置すると、揺動杆３００，３０１，３０２が揺動し、補助車輪３０６が接地し、後車輪９（前車輪７）の一方が走行面から離れる。
【００７６】
揺動杆３００，３０１，３０２は、それぞれ長さ及び屈曲角度が異なるため、後車輪９（前車輪７）の一方が走行面から離れる距離や時間が変動する。揺動杆３００，３０１，３０２の軸受部３０３，３０４，３０５は、軸受け部材３１０を取り付ける取付孔３１１，３１２，３１３が形成されている。軸受け部材３１０は、前記した軸受け体２７が取り付けられるようになっており、揺動杆３００，３０１，３０２は軸受け体２７によって滑らかに揺動する。
【００７７】
上記したように、走行玩具１は、図示しないスイッチをオンにすると、駆動モータ３が駆動して、駆動軸３ａが回転し、駆動軸３ａの回転が、駆動歯車１１５、中間平歯車１１６、中間小歯車１１７、従動歯車１１９、前車軸５に伝達され、前車輪７，７が回転する。同様に、駆動軸３ａが回転し、駆動軸３ａの回転が、駆動歯車１１５、中間平歯車１２０、中間小歯車１２１、従動歯車１２２、後車軸６に伝達され、後車輪９，９が回転する。
【００７８】
後車軸６に取り付けられたウォーム歯車（原動歯車）２９５が回転し、これと噛み合う入力歯車２２５、小歯車２２６、中間平歯車２３０、中間小歯車２３１、最終平歯車２３７を介して出力軸２３５が回転する。これに伴いカム部材２８０が回転し、当接突起２９０が回動板２５１の当接片２５５と押圧すると、回動板２５１が支軸２５２を中心として回動し、傾斜面２５３が係合部材２６５の傾斜面２７２に摺接して、係合部材２６５を弾性部材２７１の弾性に抗して押し上げる。
【００７９】
係合部材２６５の突出ピン２７０も上方に移動し、それに伴って揺動杆３００が揺動し、補助車輪３０６が接地し、接地した側の後車輪９が持ち上がって非接地状態となる。さらにカム部材２８０が回転し、当接突起２９０が回動板２５１の当接片２５５から外れると、係合部材２６５が弾性部材２７１の弾性により下方に移動し、突出ピン２７０も下方に移動するので、それに伴って揺動杆３００が揺動し、補助車輪３０６が持ち上がって非接地状態となり、後車輪９が接地する。係合部材２６５の傾斜面２７２が回動板２５１の傾斜面２５３に摺接して、回動板２５１を支軸２５２を中心として回動させ、回動板２５１を仕切壁２１５に圧接させる。
【００８０】
カム部材２８０は、着脱でき、他のカム部材２８１，２８２と交換することができるので、補助車輪３０６の接地させるタイミングを変えることができ、走行形態に変化を持たせることができる。また、後車輪９を後車軸６から外し、他の揺動杆３０１，３０２に交換することができ、これによっても走行形態に変化を持たせることができる。カム部材及揺動杆は、３種類に限定されるものではなく、これ以上あっても構わないのは勿論である。また、補助車輪３０６を接地させているが、揺動杆３００，３０１，３０２の先端を接地させ、ブレーキをかけるようにしても構わない。
【００８１】
上記実施の形態では、付属装置２０１は、玩具本体２の右側面から突出する後車軸６に揺動杆３００，３０１，３０２を揺動自在に取り付け、右側の後車輪９を持ち上げるようにしたが、これに限定されるものではなく、玩具本体２の左側面から突出する後車軸６に揺動杆３００，３０１，３０２を揺動自在に取り付け、左側の後車輪９を持ち上げるようにしても構わない。さらに、付属装置２０１は、玩具本体２の両側面から突出する後車軸６に揺動杆３００，３０１，３０２を揺動自在に取り付け、両側の後車輪９，９を持ち上げるようにしても構わない。また、上記実施の形態では、付属装置２０１を玩具本体２の後部開放部２ａに差し込んで取り付け、後車輪９を持ち上げるようにしたが、これに限定されるものではなく、玩具本体２の前部開放部２ｂに付属装置２０１を差し込んで取り付け、前車輪７を持ち上げるようにしても構わないのは勿論である。
【００８２】
本願発明に係る走行玩具の付属装置の他の実施の形態を、図２６乃至図３４に基づいて説明する。図２６は、本願発明に係る走行玩具の付属装置の他の実施の形態を示す分解斜視図である。図２７は、図２６の走行玩具の付属装置の組立図である。図２８は、図２６の走行玩具の付属装置の全体分解斜視図である。図２９は、図２６の走行玩具の付属装置を上から視た平面断面図である。図３０は、図２６の走行玩具の付属装置を側面から視た側面断面図である。図３１は、図２６の走行玩具の付属装置を正面から視た正面断面図である。図３２は、図２６の走行玩具の付属装置の動きを説明する正面断面図である。図３３は、図２６の走行玩具の付属装置のカム部材を説明する説明図である。図３４は、図２６の走行玩具の付属装置を取り付けた走行玩具の動きを説明する説明図である。
【００８３】
走行玩具１の付属装置４０１は、玩具本体２に設けられた動力源３によって走行する走行玩具１の玩具本体２に取り付けられる付属装置であって、装置本体４０２と一対の揺動杆３００，３００とからなる。一対の揺動杆３００，３００は、玩具本体４０２の両側に揺動自在に設けられる。装置本体４０２は、玩具本体２に着脱自在に取り付けられ、玩具本体２の動力源３によって回転するカム部材４８０を有する。カム部材４８０は、一対の揺動杆３００，３００を交互に又は略同時に、直接又は間接的に揺動させて一部３０６，３０６を接地させ、走行玩具１の走行形態を変化させることができる。
【００８４】
走行玩具１の付属装置４０１は、玩具本体２に設けられた動力源３と、玩具本体２の前部に設けられた前車軸５と、玩具本体２の後部に設けられた後車軸６と、前車軸５の両側に設けられた前車輪７，７と、後車軸６の両側に設けられた後車輪９，９と、動力源３の動力を前車軸５と後車軸６の少なくとも一方に伝達する動力伝達手段１０とからなる走行玩具１の玩具本体２に取り付けられる付属装置であって、装置本体４０２と一対の揺動杆３００，３００とからなる。
【００８５】
一方の揺動杆３００は、玩具本体２の一側に揺動自在に設けられ、他方の揺動杆３００は、玩具本体２の他側に揺動自在に設けられる。装置本体４０２は、玩具本体２に着脱自在に取り付けられ、玩具本体２の動力伝達手段１０又は動力伝達手段１０によって動力が伝達された前車軸５又は後車軸６によって回転するカム部材４８０を有する。カム部材４８０は、一対の揺動杆３００，３００を交互に又は略同時に、直接又は間接的に揺動させて一部３０６，３０６を接地させ、玩具本体０２を傾けて前車輪７，７又は後車輪９，９を非接地状態とし、走行玩具１の走行形態を変化させることができる。
【００８６】
一対の揺動杆３００，３００は、前車軸５又は後車軸６に揺動自在に設けられている。装置本体４０２には、カム部材４８０に連係され、カム部材４８０の回転によって往復動する一対の係合部材４６５，５２２が設けられ、一方の係合部材４６５が一方の揺動杆３００に係合して一方の揺動杆３００を揺動させ、他方の係合部材５２２が他方の揺動杆３００に係合して他方の揺動杆３００を揺動させるようになっている。
【００８７】
装置本体４０２は、歯車群４２４を有し、歯車群４２４には、装置本体４０２を玩具本体２に装着した時に、玩具本体２の動力伝達手段１０又は動力伝達手段１０によって動力が伝達された車軸６（５）に設けられた原動歯車２９５と噛み合い、装置本体４０２を玩具本体２から脱離した時に、前記原動歯車２９５と噛み合わなくなる入力歯車４２５と、入力歯車４２５からの動力が伝達される出力軸４３５を有し、前記カム部材４８０は当該出力軸４３５に着脱自在に取り付けられるようになっている。
【００８８】
さらに付属装置４０１について詳細に説明する。付属装置４０１は、図２６乃至図３４に示すように、装置本体４０２と一対の揺動杆３００とからなる。装置本体４０２は、下ケース４０３と、上ケース４０５とからなり、下ケース４０３と上ケース４０５がネジ等の締結手段によって一体的に組み立てられている。下ケース４０３は、図２８，２９に示すように、第１の収容室４０６と、第２の収容室４０７と、第３の収容室５００を備えている。第１の収容室４０６は、第１の底壁４１０と、第１の前壁４１１と、第１の後壁４１２と、右仕切壁４１３と、左仕切壁４１５とによって形成され、第１の底壁４１０には、軸受けボス４１６，４１７，４１８が直列状に設けられている。
【００８９】
前方の軸受けボス４１６の軸受け穴４２１には、前軸４２２が設けられている。前軸４２２には、第１の前壁４１１に形成された開口４２３から一部が突出する入力歯車４２５が取り付けられている。この入力歯車４２５には、小歯車４２６が一体に形成されている。中間の軸受けボス４１７の軸受け穴４２７には、中間軸４２９が設けられている。中間軸４２９には、前記小歯車４２６と噛み合う中間平歯車４３０が取り付けられている。この中間平歯車４３０には、中間小歯車４３１が一体に形成されている。
【００９０】
後方の軸受けボス４１８の軸受け穴４３２には、後軸４３３が設けられている。後軸４３３には、出力軸４３５が取り付けられている。出力軸４３５は、筒状の胴部４３６と、胴部４３６の周囲に設けられ、前記中間小歯車４３１と噛み合う最終平歯車４３７と、胴部４３６の上端に形成された軸部４３９と、軸部４３９の先端に設けられた係止部４４０と、胴部４３６内に設けられ、後軸４３３を挿入する挿入穴４４１が形成されたボス部４４２とを有している。係止部４４０は、矩形状の軸が略Ｕ字状の溝によって２つ割りに形成され、上部に係止爪４４３，４４３が形成されている。
【００９１】
第２の収容室４０７は、第２の底壁４４５と、第２の前壁４４６と、第２の後壁４４７と、第２の右壁４４８と、左仕切壁４１５とによって形成され、第２の後壁４４７に軸受けボス４４９が設けられている。軸受けボス４４９の軸受け穴４５０には、回動板４５１の支軸４５２が回動自在に取り付けられている。回動板４５１の前部には、第２の右壁４４８側に下降傾斜する傾斜面４５３が形成されている。回動板４５１の中間部には、当接片４５５が上方に突設されている。
【００９２】
第３の収容室５００は、第３の底壁５０１と、第３の前壁５０２と、第３の後壁５０３と、第３の左壁５０５と、右仕切壁４１３とによって形成され、第３の後壁５０３近傍に軸受けボス５０６が設けられている。軸受けボス５０６の軸受け穴５０７には、回動板５１０の支軸５１１が回動自在に取り付けられている。回動板５１０の前部には、第３の左壁５０５側に下降傾斜する傾斜面５１２が形成されている。回動板５１０の中間部には、当接片５１３が上方に突設されている。
【００９３】
上ケース４０５は、図２６，２８に示すように、上壁４５６と、矩形状の中間壁４５７と、上壁４５６と中間壁４５７を連接する横側壁４５８と右縦側壁４５９と左縦側壁５１５を有する。また、上ケース４０５は、内側面側に前記前軸４２２の上部を軸受けする軸受け穴４６０と、前記中間軸４２９の上部を軸受けする軸受け穴４６１と、前記出力軸４３５の軸部４３９を軸受けする軸受け孔４６２が形成され、軸受け孔４６２から出力軸４３５の係止部４４０が中間壁４５７の外側面に突出している。
【００９４】
上ケース４０５の上壁４５６内側面には、左案内室４６３が形成され、この左案内室４６３内に矩形筒状の係合部材４６５が上下方向に案内されている。係合部材４６５は、下ケース４０５の第２の右壁４４８と上ケース４０５の右壁４６７に形成された、上下方向に伸びる長孔４６９から突出する突出ピン４７０を備え、バネ状の弾性部材４７１によって下方に付勢されている。係合部材４６５は、弾性部材４７１によって付勢される側、即ち下部に、右側に向かって下降傾斜する傾斜面４７２が形成されている。この係合部材４６５の傾斜面４７２は、弾性部材４７１によって、前記回動板４５１の傾斜面４５３を押圧し、回動板４５１を左仕切壁４１５に圧接させている。
【００９５】
上ケース４０５の上壁４５６内側面には、右案内室５２１が形成され、この右案内室５２１内に矩形筒状の係合部材５２２が上下方向に案内されている。係合部材５２２は、下ケース４０５の第３の左壁５０５と上ケース４０５の左壁５２０に形成された、上下方向に伸びる長孔５２３から突出する突出ピン５２５を備え、バネ状の弾性部材５２６によって下方に付勢されている。係合部材５２２は、弾性部材５２６によって付勢される側、即ち下部に、右側に向かって下降傾斜する傾斜面５２７が形成されている。この係合部材５２２の傾斜面５２７は、弾性部材５２６によって、前記回動板５１０の傾斜面５１２を押圧し、回動板５１０を右仕切壁４１３に圧接させている。
【００９６】
また、前記回動板４５１の当接片４５５は、右縦側壁４５９に形成された開口４７３から中間壁４５７の上方に突出している。前記回動板５１０の当接片５１３は、左縦側壁５１５に形成された開口５３１から中間壁４５７の上方に突出している。当接片５１３は、当接片４５５より高い位置に設けられている。前記中間壁４５７の外側面に突出している係止部４４０には、カム部材４８０が着脱自在に取り付けられるようになっている。カム部材４８０は、略中心に矩形状の係止孔４８３が形成され、この係止孔４８３に、係止部４４０の係止爪４４３，４４３が係止される。
【００９７】
カム部材４８０は、上カム４８１と下カム４８２が重ね合わされた形で形成されている。上カム４８１には、前記回動板５１０の当接片５１３と当接する当接縁４８５と、当接片５１３と当接しない非当接縁４８６が対向して２カ所設けられている。当接縁４８５と非当接縁４８６は、略同じ長さで形成されている。下カム４８２には、前記回動板４５１の当接片４５５と当接する当接縁４８８と、当接片４５５と当接しない非当接縁４８７が対向して２カ所設けられている。当接縁４８８は、非当接縁４８７より短く形成されている。また、当接縁４８８は、当接縁４８５の後部当たりで、当接片４５５に当接するようになっている。下ケース４０３の前部下端には、係止突起４９３を備えた係止片４０８が設けられている。上ケース４０５の前部上端には、係止突起４９４を備えた係止片４０９が設けられている。
【００９８】
玩具本体２の後部（又は前部）は、開放されており、下枠体１２の底壁１５及び上枠体１３の上壁６０に係止部１５ａ，６０ａが形成されている。付属装置４０１の装置本体４０２は、玩具本体２の後部（又は前部）に形成された開放部２ａ（２ｂ）から係止片４０８，４０９を差し込むと、係止片４０８、４０９の係止突起４９３，４９４が、下枠体１２の底壁１５及び上枠体１３の上壁６０に形成された係止部１５ａ，６０ａに着脱自在に係止され、玩具本体２に装着することができる。
【００９９】
後車軸６（前車軸５）には、ウォーム歯車（原動歯車）２９５が設けられ、玩具本体２に装置本体４０２を装着すると、入力歯車４２５がウォーム歯車（原動歯車）２９５と噛み合うことになる。装置本体４０２は、係止片４０８、４０９の係止突起４９３，４９４を下枠体１２の底壁１５及び上枠体１３の上壁６０に形成された係止部１５ａ，６０ａから係止を解除するようにして、玩具本体２の後部（又は前部）に形成された開放部２ａ（２ｂ）から係止片４０８，４０９を引き抜くと、玩具本体２から離脱し、入力歯車４２５がウォーム歯車（原動歯車）２９５と噛み合わなくなる。即ち、装置本体４０２の入力歯車４２５に動力を伝えるウォーム歯車（原動歯車）２９５は、直進走行時にも駆動されている後車軸６に直接設けられており、後車軸６と共に駆動するものであるため、別途装置本体４０２に動力を伝えるための機構が不要となっている。
【０１００】
揺動杆３００は、図１１，２６に示すように、玩具本体２の両側の後車軸６（前車軸５）に揺動自在に取り付けられる。揺動杆３００は、略く字状に形成され、略中間部に軸受部３０３が形成され、前部に補助車輪３０６が回動自在に取り付けられ、後部に前記係合部材４６５の突出ピン４７０及び前記係合部材５２２の突出ピン５２５と係合する係合長孔３０７が形成されている。初期状態において、突出ピン４７０，５２５は、下側に位置しているため、補助車輪３０６，３０６は接地しておらず、突出ピン４７０，５２５が上側に位置すると、揺動杆３００，３００が揺動し、補助車輪３０６，３０６が接地し、後車輪９（前車輪７）が走行面から離れる。
【０１０１】
上記したように、走行玩具１は、図示しないスイッチをオンにすると、駆動モータ３が駆動して、駆動軸３ａが回転し、駆動軸３ａの回転が、駆動歯車１１５、中間平歯車１１６、中間小歯車１１７、従動歯車１１９、前車軸５に伝達され、前車輪７，７が回転する。同様に、駆動軸３ａが回転し、駆動軸３ａの回転が、駆動歯車１１５、中間平歯車１２０、中間小歯車１２１、従動歯車１２２、後車軸６に伝達され、後車輪９，９が回転する。
【０１０２】
後車軸６に取り付けられたウォーム歯車（原動歯車）２９５が回転し、これと噛み合う入力歯車４２５、小歯車４２６、中間平歯車４３０、中間小歯車４３１、最終平歯車４３７を介して出力軸４３５が回転する。これに伴いカム部材４８０が図３４において、時計方向に回転する。上カム４８１の非当接縁４８６が当接片５１３に位置し、下カム４８２の非当接縁４８７が当接片４５５に位置している時は、カム部材４８０が当接片５１３、４５５に当接していないので、前車輪７，７及び後車輪９，９が接地し、走行玩具１は直進走行している（図３４のＸ状態）。
【０１０３】
カム部材４８０が回転すると、先に上カム４８１の当接縁４８５が当接片５１３に当接する。上カム４８１の当接縁４８５  が回動板５１０の当接片５１３を押圧し、回動板５１０が支軸５１１を中心として回動する。傾斜面５１２が係合部材５２２の傾斜面５１３に摺接して、係合部材５２２を弾性部材５２６の弾性に抗して押し上げる。係合部材５２２の突出ピン５２５も上方に移動し、それに伴って揺動杆３００が揺動し、補助車輪３０６が接地する。補助車輪３０６が接地した側（左側）の前車輪７及び後車輪９は持ち上がって非接地状態となる。補助車輪３０６が接地していない、反対側（右側）の前車輪７及び後車輪９は接地している。そのため、走行玩具１は、右側の前車輪７及び後車輪９によって、左側にスピン回転する（図３４のＹ状態）。
【０１０４】
上記したように上カム４８１の当接縁４８５が当接片５１３に当接した状態で、カム部材４８０が回転すると、次に下カム４８２の当接縁４８８が当接片４５５に僅かに当接する。下カム４８２の当接縁４８８  が回動板４５１の当接片４５５と押圧し、回動板４５１が支軸４５２を中心として回動する。傾斜面４５３が係合部材４６５の傾斜面４７２に摺接して、係合部材４６５を弾性部材４７１の弾性に抗して押し上げる。係合部材４６５の突出ピン４７０も上方に移動し、それに伴って揺動杆３００が揺動し、補助車輪３０６が接地する。反対側（右側）の前車輪７及び後車輪９も持ち上がって非接地状態となる。両側の補助車輪３０６，３０６が接地するため、両側の前車輪７，７及び後車輪９，９が非接地状態となり、走行玩具１は一時停止する。（図３４のＺ状態）。
【０１０５】
上カム４８１の当接縁４８５が当接片５１３に当接し、同時に下カム４８２の当接縁４８８が当接片４５５に当接している時間は短いので、停止時間は短い。カム部材４８０が回転すると、上カム４８１の非当接縁４８６が当接片５１３に位置し、下カム４８２の非当接縁４８７が当接片４５５に位置する。当接片５１３が上カム４８１の当接縁４８５から外れ、当接片４５５が下カム４８２の当接縁４８８から外れるので、係合部材５２２，４６５が弾性部材５２６，４７１の弾性より下方に移動する。突出ピン５２５，４７５も下方に移動するので、それに伴って揺動杆３００，３００が揺動し、補助車輪３０６，３０６が持ち上がって非接地状態となり、前車輪７，７及び後車輪９，９が接地し、直進走行する（図３４のＸ状態）。このように、走行玩具１は、玩具本体２に付属装置４０１を装着し、カム部材４８０を着脱自在に取り付けると、直進、スピン、一時停止を繰り返し、極めて興趣ある走行をさせることができる。
【０１０６】
【発明の効果】
以上説明してきたように、本願発明に係る走行玩具の付属装置は、玩具本体に設けられた動力源によって走行する走行玩具の玩具本体に着脱自在であって、玩具本体の動力源を利用して動作するので、構造が簡単で安価に製造することができるという効果がある。また、玩具本体に装着すると、玩具本体の動力源によってカム部材が回転し、カム部材が揺動杆を揺動させて揺動杆の一部を接地させ、玩具本体を傾けて車輪を非接地状態とするので、走行玩具の走行形態を変化させることができ、極めて興趣ある走行をさせることができるという効果がある。また、玩具本体から容易に脱離することができ、脱離した場合、走行玩具は元の走行形態に戻すことができる。このように、着脱するだけで走行玩具の走行形態を変えることができるので、玩具本体を改良する必要がないという効果がある。
【０１０７】
また、本願発明に係る走行玩具の付属装置は、動力源の動力を少なくとも一つの車軸に伝達する動力伝達手段又は動力伝達手段によって動力が伝達された車軸によってカム部材が回転するので、構造が簡単で安価に製造することができるという効果がある。
【０１０８】
本願発明に係る走行玩具の付属装置は、揺動杆が車軸に揺動自在に設けられているので、玩具本体に支軸を取り付け、その支軸に揺動杆を取り付けるような手間がなく、簡単に揺動杆を玩具本体に取り付けることができるという効果がある。
【０１０９】
本願発明に係る走行玩具の付属装置は、装置本体が歯車群を有し、歯車群には、装置本体を玩具本体に装着した時に、玩具本体の動力伝達手段又は動力伝達手段によって動力が伝達された車軸に設けられた原動歯車と噛み合い、装置本体を玩具本体から脱離した時に、前記原動歯車と噛み合わなくなる入力歯車と、入力歯車からの動力が伝達される出力軸を有し、前記カム部材は当該出力軸に着脱自在に取り付けられるようになっているので、複数のカム部材を用意しておき、カム部材を交換して出力軸に取り付けることによって、種々の走行形態を楽しむことができるという効果がある。
【図面の簡単な説明】
【図１】本願発明に係る走行玩具の付属装置の一つの実施の形態を示す分解斜視図である。
【図２】図１の走行玩具の付属装置の組立図である。
【図３】図１の走行玩具の付属装置の全体分解斜視図である。
【図４】図１の走行玩具の付属装置を側面から視た分解側面図である。
【図５】図４の付属装置をさらに分解した分解側面図である。
【図６】図１の走行玩具の付属装置の組立断面図である。
【図７】付属装置の上ケースを説明する説明図である。
【図８】付属装置の下ケースを説明する説明図である。
【図９】図１の走行玩具の付属装置を走行玩具に取り付ける方法を説明する説明図である。
【図１０】図１の走行玩具の付属装置を走行玩具に取り付ける方法を説明する説明図である。
【図１１】付属装置の使用状態を説明する説明図である。
【図１２】本願発明に係る走行玩具の一つの実施の形態を示す全体図であって、（ａ）は左側面図であり、（ｂ）は背面図である。
【図１３】図１２の走行玩具の全体図であって、（ａ）は右側面図であり、（ｂ）は正面図である。
【図１４】図１２の走行玩具の全体平面図である。
【図１５】図１２の走行玩具の下枠体を説明する説明図である。
【図１６】図１２の走行玩具の上枠体を説明する説明図である。
【図１７】図１５の下枠体を説明する説明図である。
【図１８】図１２の走行玩具の軸受け部材を説明する説明図である。
【図１９】図１６の上枠体を説明する説明図である。
【図２０】図１２の走行玩具の調節枠Ｎを説明する説明図である。
【図２１】図１２の走行玩具の調節枠Ｓを説明する説明図である。
【図２２】図１２の走行玩具の要部分解側面図である。
【図２３】図１２の走行玩具の車輪を外した左側面図である。
【図２４】図１２の走行玩具の軸受け部材の取付状態を説明する説明図である。
【図２５】図１２の走行玩具の使用状態を説明する説明図である。
【図２６】本願発明に係る走行玩具の付属装置の他の実施の形態を示す分解斜視図である。
【図２７】図２６の走行玩具の付属装置の組立図である。
【図２８】図２６の走行玩具の付属装置の全体分解斜視図である。
【図２９】図２６の走行玩具の付属装置を上から視た平面断面図である。
【図３０】図２６の走行玩具の付属装置を側面から視た側面断面図である。
【図３１】図２６の走行玩具の付属装置を正面から視た正面断面図である。
【図３２】図２６の走行玩具の付属装置の動きを説明する正面断面図である。
【図３３】図２６の走行玩具の付属装置のカム部材を説明する説明図である。
【図３４】図２６の走行玩具の付属装置を取り付けた走行玩具の動きを説明する説明図である。
【符号の説明】
Ｇ  走行面
１  走行玩具
２  玩具本体
２ａ  後部開放部
２ｂ  前部開放部
３  動力源（駆動モータ）
３ａ  駆動軸
５  前車軸
６  後車軸
７  前車輪
９  後車輪
９Ａ  後車輪
１０  動力伝達手段
１１  電池ボックス
１２  下枠体
１３  上枠体
１５  底壁
１５ａ  係止部
１６  左壁
１７ａ  前補助壁
１７ｂ  後補助壁
１９  仕切壁
２０  仕切壁
２１  前右壁
２２  後右壁
２３  収納部
２５  凹部
２６  凹部
２７  軸受け体
２８  嵌合凹部
２９  突出部
３０  凹部
３１  凹部
３２  固定溝
３３  係止枠
３５  切り欠き窓
４０  軸受け部材（調節手段）
４１  係合板
４２  突片
４３  突片
４５  挿通孔
４６  正面
４７  取付穴
４８  ボス部
４９  一方
５０  他方
５２  Ｓ記号（第１の表示部）
５３  Ｎ記号（第１の表示部）
５５  係止部材
５７  係合凸起
５９  位置決めピン
６０  上壁
６０ａ  係止部
６１  左壁
６２ａ  前補助壁
６２ｂ  後補助壁
６３  右壁
６５  仕切壁
６６  仕切壁
６７  収納部
６９  凹部
７０  凹部
７１  嵌合凹部
７２  突出部
７３  凹部
７４  凹部
７６  固定溝
７７  係止枠
７９  切り欠き窓
８０  係止突起
８１  係合穴
８２  開口
８３  嵌着孔
８４  嵌着孔
８６  支軸
８７  支軸
８９  挿通孔
９０  長孔
９１  係止爪
９２  係止爪
９３  位置決め穴
１００Ｎ  調節枠（調節手段）
１００Ｓ  調節枠（調節手段）
１０１  係止溝
１０２  係止溝
１０３  嵌着孔
１０４  嵌着孔
１０５  挿通孔
１０６Ｎ  挿通孔
１０６Ｓ  挿通孔
１０７  嵌合凹部
１０８  嵌合凹部
１１０Ｎ  嵌合凹部
１１０Ｓ  嵌合凹部
１１１Ｎ  嵌合凹部
１１１Ｓ  嵌合凹部
１１２Ｎ  Ｎ記号（第２の表示部）
１１２Ｓ  Ｓ記号（第２の表示部）
１１５  駆動歯車
１１６  中間平歯車
１１７  中間小歯車
１１９  従動歯車
１２０  中間平歯車
１２１  中間小歯車
１２２  従動歯車
２０１  付属装置
２０２  装置本体
２０３  下ケース
２０５  上ケース
２０６  第１の収容室
２０７  第２の収容室
２０８  係止片
２０９  係止片
２１０  第１の底壁
２１１  第１の前壁
２１２  第１の後壁
２１３  第１の左壁
２１５  仕切壁
２１６  軸受けボス
２１７  軸受けボス
２１８  軸受けボス
２２１  軸受け穴
２２２  前軸
２２３  開口
２２４  歯車群
２２５  入力歯車
２２６  小歯車
２２７  軸受け穴
２２９  中間軸
２３０  中間平歯車
２３１  中間小歯車
２３２  軸受け穴
２３３  後軸
２３５  出力軸
２３６  胴部
２３７  最終平歯車
２３９  軸部
２４０  係止部
２４１  挿入穴
２４２  ボス部
２４３  係止爪
２４５  第２の底壁
２４６  第２の前壁
２４７  第２の後壁
２４８  第２の右壁
２４９  軸受けボス
２５０  軸受け穴
２５１  回動板
２５２  支軸
２５３  傾斜面
２５５  当接片
２５６  上壁
２５７  中間壁
２５８  横側壁
２５９  縦側壁
２６０  軸受け穴
２６１  軸受け穴
２６２  軸受け孔
２６３  案内室
２６５  係合部材
２６７  右壁
２６９  長孔
２７０  突出ピン
２７１  弾性部材
２７２  傾斜面
２７３  開口
２８０  カム部材
２８１  カム部材
２８２  カム部材
２８３  係止孔
２８４  係止孔
２８５  係止孔
２８６  係止段部
２８７  係止段部
２８８  係止段部
２９０  当接突起
２９１  当接突起
２９２  当接突起
２９３  係止突起
２９４  係止突起
２９５  ウォーム歯車（原動歯車）
３００  揺動杆
３０１  揺動杆
３０２  揺動杆
３０３  軸受部
３０４  軸受部
３０５  軸受部
３０６  補助車輪（一部）
３０７  係合長孔
３０８  係合長孔
３０９  係合長孔
３１０  軸受け部材
３１１  取付孔
３１２  取付孔
３１３  取付孔
４０１  付属装置
４０２  装置本体
４０３  下ケース
４０５  上ケース
４０６  第１の収容室
４０７  第２の収容室
４０８  係止片
４０９  係止片
４１０  第１の底壁
４１１  第１の前壁
４１２  第１の後壁
４１３  右仕切壁
４１５  左仕切壁
４１６  軸受けボス
４１７  軸受けボス
４１８  軸受けボス
４２１  軸受け穴
４２２  前軸
４２３  開口
４２４  歯車群
４２５  入力歯車
４２６  小歯車
４２７  軸受け穴
４２９  中間軸
４３０  中間平歯車
４３１  中間小歯車
４３２  軸受け穴
４３３  後軸
４３５  出力軸
４３６  胴部
４３７  最終平歯車
４３９  軸部
４４０  係止部
４４１  挿入穴
４４２  ボス部
４４３  係止爪
４４５  第２の底壁
４４６  第２の前壁
４４７  第２の後壁
４４８  第２の右壁
４４９  軸受けボス
４５０  軸受け穴
４５１  回動板
４５２  支軸
４５３  傾斜面
４５５  当接片
４５６  上壁
４５７  中間壁
４５８  横側壁
４５９  右縦側壁
４６０  軸受け穴
４６１  軸受け穴
４６２  軸受け孔
４６３  左案内室
４６５  係合部材
４６７  右壁
４６９  長孔
４７０  突出ピン
４７１  弾性部材
４７２  傾斜面
４７３  開口
４８０  カム部材
４８１  上カム
４８２  下カム
４８３  係止孔
４８５  当接縁
４８６  非当接縁
４８７  非当接縁
４８８  当接縁
４９３  係止突起
４９４  係止突起
５００  第３の収容室
５０１  第３の底壁
５０２  第３の前壁
５０３  第３の後壁
５０５  第３の左壁
５０６  軸受けボス
５０７  軸受け穴
５１０  回動板
５１１  支軸
５１２  傾斜面
５１３  当接片
５１５  左縦側壁
５２０  左壁
５２１  右案内室
５２２  係合部材
５２３  長孔
５２５  突出ピン
５２６  弾性部材
５２７  傾斜面
５３１  開口
【図１】
2004275707.tif 000003
【図２】
2004275707.tif 000004
【図３】
2004275707.tif 000005
【図４】
2004275707.tif 000006
【図５】
2004275707.tif 000007
【図６】
2004275707.tif 000008
【図７】
2004275707.tif 000009
【図８】
2004275707.tif 000010
【図９】
2004275707.tif 000011
【図１０】
2004275707.tif 000012
【図１１】
2004275707.tif 000013
【図１２】
2004275707.tif 000014
【図１３】
2004275707.tif 000015
【図１４】
2004275707.tif 000016
【図１５】
2004275707.tif 000017
【図１６】
2004275707.tif 000018
【図１７】
2004275707.tif 000019
【図１８】
2004275707.tif 000020
【図１９】
2004275707.tif 000021
【図２０】
2004275707.tif 000022
【図２１】
2004275707.tif 000023
【図２２】
2004275707.tif 000024
【図２３】
2004275707.tif 000025
【図２４】
2004275707.tif 000026
【図２５】
2004275707.tif 000027
【図２６】
2004275707.tif 000028
【図２７】
2004275707.tif 000029
【図２８】
2004275707.tif 000030
【図２９】
2004275707.tif 000031
【図３０】
2004275707.tif 000032
【図３１】
2004275707.tif 000033
【図３２】
2004275707.tif 000034
【図３３】
2004275707.tif 000035
【図３４】
2004275707.tif 000036